(57)【要約】【課題】アース用の部材を用いることなく、容易にアースを行うことができる基礎杭を提供する。【解決手段】基礎杭（１００）は、杭本体（１１０）と、杭本体（１１０）の外周に形成された銅メッキ層（１２０）と、からなる。単に、基礎杭（１００）を地中に埋設するだけで、銅メッキ層（１２０）が基礎杭（１００）のアースとして機能する。【選択図】図１
0003156688.tif 000002
【実用新案登録請求の範囲】
【請求項１】
地中に埋設され、支柱と接続され、前記支柱を立設させるための基礎杭であって、
前記基礎杭は、杭本体と、銅メッキ層と、からなり、
前記杭本体は、円筒形状をなし、一端にはフランジが形成され、両端面のうち少なくとも一方の端面が開口しており、
前記銅メッキ層は、前記杭本体の外面及び内面の少なくとも何れか一方において、全面に、または、少なくとも前記本体の下端を含む領域に形成されていることを特徴とする基礎杭。
【請求項２】
地中に埋設され、支柱と接続され、前記支柱を立設させるための基礎杭であって、
前記基礎杭は、杭本体と、銅製円筒体と、からなり、
前記杭本体は、円筒形状をなし、一端にはフランジが形成され、両端面のうち少なくとも一方の端面が開口しており、
前記銅製円筒体は、前記杭本体の外面及び内面の少なくとも何れか一方に接して配置されていることを特徴とする基礎杭。
【請求項３】
地中に埋設され、支柱と接続され、前記支柱を立設させるための基礎杭であって、
前記基礎杭は、杭本体と、銅板と、からなり、
前記杭本体は、円筒形状をなし、一端にはフランジが形成され、両端面のうち少なくとも一方の端面が開口しており、
前記銅板は、前記杭本体の外面及び内面の少なくとも何れか一方において、前記外面または前記内面に沿って巻き付けられ、または、前記外面または前記内面上に取り付けられていることを特徴とする基礎杭。
【考案の詳細な説明】
【技術分野】
【０００１】
本考案は支柱基礎杭に関する。
【背景技術】
【０００２】
電柱や標識などの構造物を地上に立てる際には、先ず、地中に基礎杭が埋設される。構造物はこの基礎杭に固定されることにより、地上に立った状態で支持される。
【０００３】
このような基礎杭の一例として特開２００２−３１７４３８号公報に記載されたものがある。
【０００４】
上記公報に記載された基礎杭は、下方になるほど外径が小さくなるテーパ状の中空のパイプ部材からなり、このパイプ部材の周囲にはスパイラル部材が設けられている。さらに、パイプ部材には複数個の穴が形成されている。
【０００５】
このパイプ部材をその長手方向軸の回りに旋回させ、地中に埋設する。埋設後、パイプ部材の上部開口からパイプ部材の中にコンクリートを注入すると、パイプ部材に形成された穴を介してコンクリートが周囲の土壌に流れ出し、周囲の土壌を固化させる。これにより、基礎杭が地中に固定される。
【考案の概要】
【考案が解決しようとする課題】
【０００６】
基礎杭を地中に埋設する際に考慮すべき重要なことの一つとして、いかにして基礎杭のアースを行うか、ということがある。
【０００７】
上記公報に記載された基礎杭を含む従来の基礎杭を地中に埋設するときには、アース棒と呼ばれる金属製の棒状体が用いられていた。具体的には、アース棒と基礎杭とを導電線で接続し、アース棒を基礎杭とともに地中に埋設することにより、基礎杭のアース機能を確保していた。
【０００８】
アース棒を基礎杭に導電線で接続したまま双方を地中に埋設する作業は、導電線が切断されないように行う必要があるため、慎重に行う必要があった。このため、この作業自体を完了するのに多くの時間と労力とを必要とした。
【０００９】
本考案はこのような従来の基礎杭における問題点に鑑みてなされたものであり、基礎杭のアースを容易に行うことを可能にする基礎杭を提供することを目的とする。
【課題を解決するための手段】
【００１０】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１１】
上記の目的を達成するため、本考案は、第一の態様として、地中に埋設され、支柱（１５０）と接続され、前記支柱（１５０）を立設させるための基礎杭（１００）であって、前記基礎杭（１００）は、杭本体（１１０）と、銅メッキ層（１２０）と、からなり、前記杭本体（１１０）は、円筒形状をなし、一端にはフランジ（１３０）が形成され、両端面のうち少なくとも一方の端面が開口しており、前記銅メッキ層（１２０）は、前記杭本体（１１０）の外面及び内面の少なくとも何れか一方において、全面に、または、少なくとも前記本体の下端を含む領域に形成されていることを特徴とする基礎杭（１００）を提供する。
【００１２】
さらに、本考案は、第二の態様として、地中に埋設され、支柱（１５０）と接続され、前記支柱（１５０）を立設させるための基礎杭（２００）であって、前記基礎杭（２００）は、杭本体（１１０）と、銅製円筒体（２１０）と、からなり、前記杭本体（１１０）は、円筒形状をなし、一端にはフランジ（１３０）が形成され、両端面のうち少なくとも一方の端面が開口しており、前記銅製円筒体（２１０）は、前記杭本体（１１０）の外面及び内面の少なくとも何れか一方に接して配置されていることを特徴とする基礎杭（２００）を提供する。
【００１３】
さらに、本考案は、第三の態様として、地中に埋設され、支柱（１５０）と接続され、前記支柱（１５０）を立設させるための基礎杭（３００）であって、前記基礎杭（３００）は、杭本体（１１０）と、銅板（３１０）と、からなり、前記杭本体（１１０）は、円筒形状をなし、一端にはフランジ（１３０）が形成され、両端面のうち少なくとも一方の端面が開口しており、前記銅板（３１０）は、前記杭本体（１１０）の外面及び内面の少なくとも何れか一方において、前記外面または前記内面に沿って巻き付けられ、または、前記外面または前記内面上に取り付けられていることを特徴とする基礎杭（３００）を提供する。
【考案の効果】
【００１４】
従来においては、基礎杭のアースを行うために、基礎杭とは別個のアース棒を用いる必要があった。さらに、アース棒と基礎杭との間を接続する導電線が切断されないように基礎杭を埋設させる必要があったため、基礎杭の埋設作業は多くの時間と労力とを必要としていた。
【００１５】
これに対して本考案に係る基礎杭によれば、銅メッキ層、銅製円筒体または銅板が基礎杭に対するアース手段として機能する。このため、単に、基礎杭を地中に埋設すれば、銅メッキ層、銅製円筒体または銅板が基礎杭に対するアースを構成する。このように、本考案に係る基礎杭によれば、従来とは異なり、基礎杭とは別体のアース棒を準備する必要がなくなるとともに、アース棒と基礎杭とを接続する導電線の使用をも不必要となるため、導電線の切断防止に注意することなく、基礎杭を地中に埋設することが可能である。このため、従来と比較して、基礎杭の埋設作業を短時間かつ少ない労力で実施することが可能になる。
【図面の簡単な説明】
【００１６】
【図１】図１は本考案の第一の実施形態に係る基礎杭を支柱と連結した状態の縦断面図である。
【図２】図２は、本考案の第一の実施形態に係る基礎杭と支柱との間に高さ調整用の補助支柱を挿入した変形例の縦断面図である。
【図３】図３は本考案の第二の実施形態に係る基礎杭の縦断面図である。
【図４】図４は本考案の第三の実施形態に係る基礎杭の縦断面図である。
【考案を実施するための形態】
【００１７】
（第一の実施形態）
図１は本考案の第一の実施形態に係る基礎杭１００を支柱と連結した状態の縦断面図である。
【００１８】
図１に示すように、本実施形態に係る基礎杭１００は、杭本体１１０と、銅メッキ層１２０と、からなる。
【００１９】
杭本体１１０は中空のステンレス製円筒状部材からなる。
【００２０】
杭本体１１０の一端（図１では上端）にはフランジ１３０が形成されている。杭本体１１０の長手方向軸（図１の上下方向の軸）における両端面（すなわち、上側の端面及び下側の端面）は開口している。
【００２１】
杭本体１１０の外面には銅メッキ層１２０が形成されている。銅メッキ層１２０は、杭本体１１０の下端を含む所定の長さＬの領域にわたって形成されている。
【００２２】
基礎杭１００は地中に埋設されて使用される。基礎杭１００が地中に埋設された後、基礎杭１００に支柱１５０が連結される。
【００２３】
図１に示すように、支柱１５０は杭本体１１０と同一の内径を有し、さらに、支柱１５０の一端にはフランジ１５１が形成されており、埋設された基礎杭１００のフランジ１１０上に支柱１５０のフランジ１５１を重ね合わせ、ボルト及びナット１５２で両者が結合される。
【００２４】
以上のような構造を有する本実施形態に係る基礎杭１００は次のような効果を奏する。
【００２５】
従来においては、基礎杭のアースを行うために、基礎杭とは別個のアース棒を用いる必要があった。さらに、アース棒と基礎杭との間を接続する導電線が切断されないように基礎杭を埋設させる必要があったため、基礎杭の埋設作業は多くの時間と労力とを必要としていた。
【００２６】
これに対して本実施形態に係る基礎杭１００によれば、杭本体１１０の外面に形成されている銅メッキ層１２０が基礎杭１００に対するアース手段として機能する。このため、単に、基礎杭１００を地中に埋設すれば、銅メッキ層１２０が基礎杭１００に対するアースを実行する。
【００２７】
このように、本実施形態に係る基礎杭１００によれば、従来とは異なり、基礎杭とは別体のアース棒を準備する必要がなくなるとともに、アース棒と基礎杭とを接続する導電線の使用をも不必要となるため、導電線の切断防止に注意することなく、基礎杭１００を地中に埋設することが可能である。このため、従来と比較して、基礎杭１００の埋設作業を短時間かつ少ない労力で実施することが可能になる。
【００２８】
本実施形態に係る基礎杭１００の構造は上記の構造に限定されるものではなく、種々の改変が可能である。
【００２９】
本実施形態に係る基礎杭１００においては、杭本体１１０の外面の下端から長さＬの領域においてのみ銅メッキ層１２０が形成されているが、杭本体１１０の外面の全領域に銅メッキ層１２０を形成することもできる。
【００３０】
あるいは、杭本体１１０の内面の下端から長さＬの領域に銅メッキ層１２０を形成することも可能である。また、杭本体１１０の内面の全領域に銅メッキ層１２０を形成することもできる。
【００３１】
さらには、杭本体１１０の外面及び内面の双方の全領域または一部の領域（例えば、下端から長さＬの領域）に銅メッキ層１２０を形成することも可能である。
【００３２】
また、基礎杭１００を地中に埋設した後、銅メッキ層１２０のアースの性能を向上させるため、杭本体１１０の内側に導電液（例えば、不凍液に金属粉を混合させたもの）を注入することが可能である。この場合、二つのフランジ１１０、１５１はともに軸方向に開口しているように形成する。
【００３３】
さらに、例えば、支柱１５０には、図１に示すように、点検用の開口部としての窓１５３を形成することが可能である。窓１５３をつくることによって、杭本体１１０の内部に注入した導電液のメインテナンスを行うことができる。
【００３４】
図２は、本実施形態に係る基礎杭１００と支柱１５０との間に高さ調整用の補助支柱１６０を挿入した変形例の縦断面図である。
【００３５】
補助支柱１６０は杭本体１１０及び支柱１５０と同一内径を有しており、両端にはそれぞれフランジ１６１、１６２が形成されている。
【００３６】
図２に示すように、一方のフランジ１６１を杭本体１１０のフランジ１１０と重ね合わせ、他方のフランジ１６２を支柱１５０のフランジ１５１と重ね合わせた後、ボルト及びナット１５２で相互に連結する。
【００３７】
このように、補助支柱１６０を用いることにより、補助支柱１６０の長さの分だけ、支柱１５０の高さ（地上から上の部分の高さ）を調節することができる。
【００３８】
（第二の実施形態）
図３は本考案の第二の実施形態に係る基礎杭２００の縦断面図である。
【００３９】
図３に示すように、本実施形態に係る基礎杭２００は、杭本体１１０と、銅製円筒体２１０と、からなる。
【００４０】
本実施形態に係る基礎杭２００は、第一の実施形態に係る基礎杭１００と比較して、銅メッキ層１２０に代えて、銅製円筒体２１０を用いる点においてのみ相違している。このため、第一の実施形態に係る基礎杭１００と同一の構成要素に対しては同一の参照符号を用いる。
【００４１】
すなわち、本実施形態に係る基礎杭２００においては、図３に示すように、杭本体１１０の外面の周囲に銅製円筒体２１０が配置されている。換言すれば、杭本体１１０の周囲に銅製円筒体２１０が嵌め込まれている。
【００４２】
銅製円筒体２１０は第一の実施形態における銅メッキ層１２０と同一の機能を奏するため、本実施形態に係る基礎杭２００は第一の実施形態に係る基礎杭１００と同様の効果を得ることができる。
【００４３】
なお、本実施形態に係る基礎杭２００においては、銅製円筒体２１０は杭本体１１０の外面に配置されているが、杭本体１１０の内面側に銅製円筒体２１０を配置することも可能であり、あるいは、杭本体１１０の外面側と内面側の双方に銅製円筒体２１０を配置することも可能である。
【００４４】
（第三の実施形態）
図４は本考案の第三の実施形態に係る基礎杭３００の縦断面図である。
【００４５】
図４に示すように、本実施形態に係る基礎杭３００は、杭本体１１０と、銅板３１０と、からなる。
【００４６】
本実施形態に係る基礎杭３００は、第一の実施形態に係る基礎杭１００と比較して、銅メッキ層１２０に代えて、銅板３１０を用いる点においてのみ相違している。このため、第一の実施形態に係る基礎杭１００と同一の構成要素に対しては同一の参照符号を用いる。
【００４７】
すなわち、本実施形態に係る基礎杭３００においては、図４に示すように、杭本体１１０の外面の周囲に複数個の銅板３１０が巻き付けられている。これらの銅板３１０は上下方向に等間隔に配置されている。
【００４８】
銅板３１０は第一の実施形態における銅メッキ層１２０と同一の機能を奏するため、本実施形態に係る基礎杭３００は第一の実施形態に係る基礎杭１００と同様の効果を得ることができる。
【００４９】
なお、本実施形態に係る基礎杭３００においては、銅板３１０は杭本体１１０の外面に巻かれているが、杭本体１１０の内面側に銅板３１０を巻くことも可能であり、あるいは、杭本体１１０の外面側と内面側の双方に銅板３１０を巻くことも可能である。
【００５０】
本実施形態に係る基礎杭３００においては、複数個のリング状の銅板３１０を用いているが、例えば、一枚の銅板３１０を杭本体１１０の外面または内面上に螺旋状に巻き付けることも可能である。
【００５１】
また、本実施形態に係る基礎杭３００においては、銅板３１０が杭本体１１０の外面に巻き付けられているが、単に銅板３１０を杭本体１１０の外面または内面上に取り付けることも可能である。例えば、杭本体１１０の外面の接線方向に沿って銅板３１０を取り付けたり、あるいは、杭本体１１０の中心軸から放射方向に延びるように外面上に銅板３１０を配置することも可能である。
【符号の説明】
【００５２】
１００  本考案の第一の実施形態に係る基礎杭
１１０  杭本体
１２０  銅メッキ層
１３０  フランジ
１５０  支柱
１５１  フランジ
１５２  ボルト及びナット
１６０  補助支柱
１６１  フランジ
１６２  フランジ
２００  本考案の第二の実施形態に係る基礎杭
２１０  銅製円筒体
３００  本考案の第三の実施形態に係る基礎杭
３１０  銅板
【図１】
0003156688.tif 000003
【図２】
0003156688.tif 000004
【図３】
0003156688.tif 000005
【図４】
0003156688.tif 000006